(57)【要約】【課題】  所望の特性の画像を外部装置に対して出力することができる撮像装置を提供する。【解決手段】  撮像部３０と、外部装置に対してパターン画像を出力する画像出力部２２と、前記パターン画像を前記外部装置が表示している状態で、前記撮像部で前記表示を撮像して得られるパターン撮像画像に基づいて、所望の特性の画像を前記外部装置に表示させるための画像補正値を求める補正値設定部４４と、前記撮像部で撮像して前記外部装置に出力する画像に対して前記補正値を用いて補正を行う画像処理部４６とを備える。【選択図】  図２
2010273189.tif 000002
【特許請求の範囲】
【請求項１】
撮像部と、
外部装置に対してパターン画像を出力する画像出力部と、
前記パターン画像を前記外部装置が表示している状態で、前記撮像部で前記表示を撮像して得られるパターン撮像画像に基づいて、所望の特性の画像を前記外部装置に表示させるための画像補正値を求める補正値設定部と、
前記撮像部で撮像して前記外部装置に出力する画像に対して前記補正値を用いて補正を行う画像処理部と
を備えることを特徴とする撮像装置。
【請求項２】
前記特性は、階調特性及び色特性の少なくとも一方を含むことを特徴とする請求項１記載の撮像装置。
【請求項３】
前記特性は外部装置の置かれた環境の状態を考慮したものであることを特徴とする請求項１または２記載の撮像装置。
【請求項４】
前記環境の状態は、色温度であることを特徴とする請求項３記載の撮像装置。
【発明の詳細な説明】
【技術分野】
【０００１】
本発明は、撮像装置に関するものである。
【背景技術】
【０００２】
テレビ等の外部表示装置に画像を出力することができる撮像装置が知られている（例えば、特許文献１参照）。この撮像装置においては、外部表示装置の表示解像度に合わせた画像を出力している。
【先行技術文献】
【特許文献】
【０００３】
【特許文献１】特開２００４−１２８５８７号公報
【発明の概要】
【発明が解決しようとする課題】
【０００４】
ところで、外部表示装置の特性は個体差が大きく、出力した画像を所望の色や明るさで表示させたい場合には外部表示装置の特性を考慮する必要がある。しかし、特許文献１記載の撮像装置においては、出力された画像の色や明るさが表示装置の特性により変化する場合があることについては考慮されていなかった。
【０００５】
本発明の目的は、所望の特性の画像を外部装置に対して出力することができる撮像装置を提供することである。
【課題を解決するための手段】
【０００６】
本発明の撮像装置は、撮像部と、外部装置に対してパターン画像を出力する画像出力部と、前記パターン画像を前記外部装置が表示している状態で、前記撮像部で前記表示を撮像して得られるパターン撮像画像に基づいて、所望の特性の画像を前記外部装置に表示させるための画像補正値を求める補正値設定部と、前記撮像部で撮像して前記外部装置に出力する画像に対して前記補正値を用いて補正を行う画像処理部とを備えることを特徴とする。
【発明の効果】
【０００７】
本発明の撮像装置よれば、所望の特性の画像を外部装置に対して出力することができる。
【図面の簡単な説明】
【０００８】
【図１】本発明の実施の形態に係るカメラの背面を示す斜視図である。
【図２】本発明の実施の形態に係るカメラのシステム構成を示すブロック図である。
【図３】本発明の実施の形態に係るカメラによる外部表示装置の特性検出処理を示すフローチャートである。
【図４】本発明の実施の形態に係るカメラの外部表示装置に対するパターン画像出力を行った状態を示す図である。
【図５】本発明の実施の形態に係るカメラによる外部表示装置の周囲環境の状態を検出する処理を示すフローチャートである。
【図６】本発明の実施の形態に係るカメラの外部表示装置に対する画像出力処理を示すフローチャートである。
【発明を実施するための形態】
【０００９】
以下、図面を参照して本発明の実施の形態に係るカメラについて説明する。図１は、実施の形態に係るカメラの背面を示す斜視図である。カメラ２は筐体４を備え、筐体４の上面には、電源スイッチ６、レリーズ指示を行うレリーズボタン８が設けられ、筐体４の背面には、撮像画像やスルー画を表示するＬＣＤ表示部１２、画像の表示開始を指示する再生ボタン１４、再生する画像を選択するマルチセレクタ１６、再生の終了を指示する停止ボタン１８、外部表示装置４８（図４参照）に後述するパターン画像を出力し、外部表示装置４８の特性の検出の指示を行うキャリブレーションボタン２０が設けられている。また、筐体４の側面には、外部表示装置とＵＳＢケーブル等により接続するためのコネクタ２１が設けられている。
【００１０】
図２は実施の形態に係るカメラのシステム構成を示すブロック図である。カメラ２はＣＰＵ２４を備え、ＣＰＵ２４には、外部表示装置４８に対して画像の出力を行う画像出力部２２、操作部２６、ＬＣＤ表示部１２の表示制御を行う表示制御部２８、図示しない撮影レンズ、シャッタの駆動制御を行う撮像制御部２９、撮影レンズを介した被写体を撮像して撮像信号（蓄積電荷としてのアナログ信号）を生成するＣＣＤ或いはＣＭＯＳ等により構成される撮像素子３０、撮像素子３０から出力された撮像信号を図示しないＡ／Ｄ変換部においてＡ／Ｄ変換することにより生成された画像データを記憶するバッファメモリ３２、撮像素子３０から出力される撮像信号に基づく画像データに対してホワイトバランス調整、輪郭補償、ガンマ補正等の画像処理を行う撮像画像処理部３４、撮像画像、種々のデータを記憶するメモリカード３６、外部表示装置４８の特性を検出するために出力するテストパターン等のパターン画像の画像データ及びパターン画像の階調特性、色特性等のデータを記憶するパターン画像記憶部３８、外部表示装置４８に表示されたパターン画像を撮像した画像のＲＡＷデータから外部表示装置４８の特性を検出する特性検出部４０、外部表示装置４８の周囲を撮像した画像のＲＡＷデータから外部表示装置４８の周囲の色温度等の環境の状態を検出する環境検出部４２、外部表示装置４８の特性に基づいて画像データに対する補正値を設定し、外部表示装置４８が設けられた周囲の環境の状態に応じて補正値を変更する補正値設定部４４、補正値設定部４４により設定された補正値を用いて画像出力部２２を介して出力される画像の画像データに対して補正を行う出力画像処理部４６が接続されている。
【００１１】
ここで、操作部２６は、電源スイッチ６、レリーズボタン８、再生ボタン１４、マルチセレクタ１６、停止ボタン１８、キャリブレーションボタン２０等を備えている。
【００１２】
次に、図３に示すフローチャートを参照して、実施の形態に係るカメラにより外部表示装置の特性を検出する処理について説明する。カメラ２の起動中にキャリブレーションボタン２０が押されると、外部表示装置４８がコネクタ２１に接続されているか否かを確認する（ステップＳ１）。外部表示装置４８と接続されている場合には、パターン画像記憶部３８からテストパターン等のパターン画像を読み出し（ステップＳ２）、画像出力部２２により外部表示装置４８に対してパターン画像を出力する（ステップＳ３）。従って図４に示すように例えば、モニタやテレビ等の外部表示装置４８にはテストパターン５０が表示される。
【００１３】
そして、例えば、ＬＣＤ表示部１２に表示されたスルー画像において外部表示装置４８に表示されたパターン画像の領域を認識し、撮像制御部２９により外部表示装置４８に表示されたパターン画像の撮像を行うことができるように画角を調整し撮像を行う（ステップＳ４）。特性検出部４０は、撮像した画像のＲＡＷデータから色度やＲＧＢ値等の色に関する値及び輝度値や出力したパターン画像のグレー階調に対する色温度等の明るさに関する値を算出し、パターン画像記憶部３８に記憶されている出力したパターン画像の値と比較することにより外部表示装置４８の特性を検出する（ステップＳ５）。補正値設定部４４は、外部表示装置４８の特性に応じて出力する画像に対して補正を行う際の補正値を設定する（ステップＳ６）。なお、ステップＳ１において、カメラ２が外部表示装置４８に接続されていない場合には処理を終了する。
【００１４】
次に、図５に示すフローチャートを参照して実施の形態に係るカメラにより外部表示装置の周囲環境の状態を検出する処理について説明する。図３のフローチャートに示す処理において補正値設定部４４により外部表示装置４８の特性に応じて補正値を設定した場合には、例えば、ＬＣＤ表示部１２に表示されたスルー画像において外部表示装置４８を認識し、撮像制御部２９により外部表示装置４８の周囲の撮像を行うことができるように画角を調整し、撮像を行う（ステップＳ１１）。このとき、カメラ２により撮像する画角内には外部表示装置４８の周囲が含まれていればよく、外部表示装置４８は画角内に含まれてもよいし、含まれなくてもよい。そして、環境検出部４２は、外部表示装置４８の周囲の撮像画像のＲＡＷデータから色温度等の視環境に関する値を算出し、外部表示装置４８の周囲環境の状態を検出する（ステップＳ１２）。補正値設定部４４は、図３のフローチャートに示すステップＳ６において設定した補正値を周囲環境の状態に応じて変更する（ステップＳ１３）。
【００１５】
次に、図６に示すフローチャートを参照して実施の形態に係るカメラの外部表示装置に対する画像出力処理について説明する。本実施の形態に係るカメラにおいては、外部表示装置の特性検出処理（図３参照）における補正値の設定、周囲環境の検出処理（図５参照）における補正値の変更を行った後において再生ボタン１４が操作されるとコネクタ２１を介して外部表示装置４８と接続されているか否か確認し、接続されていない場合には、ＬＣＤ表示部１２に画像を表示する。
【００１６】
一方、接続されている場合には、外部表示装置４８に対して出力する画像の画像データをメモリカード３６から読み出し（ステップＳ２１）、出力画像処理部４６は、図３に示すステップＳ６において設定され図５に示すステップＳ１３において変更された補正値を用いて画像データに対して補正を行う（ステップＳ２２）。そして、補正が行われた画像データを画像出力部２２を介して外部表示装置４８に対して出力する（ステップＳ２３）。
【００１７】
次に、他の画像を外部表示装置４８に対して出力するか否かを判定する（ステップＳ２４）。マルチセレクタ１６等の操作により他の画像が選択され再生指示が行われた場合には、他の画像の出力を行うため、ステップＳ２１〜ステップＳ２３の処理を再び行う。停止ボタン１８が操作された場合には、処理を終了する。
【００１８】
本実施の形態に係るカメラによれば、所望の特性の画像を外部装置に対して出力することができる。
【００１９】
なお、上述の実施の形態においては、外部表示装置４８の特性を検出する処理における撮像と、外部表示装置４８の周囲環境の状態を検出する処理における撮像とを別々に行う構成としたが、外部表示装置４８に表示されたパターン画像及び外部表示装置４８の周囲を一度に撮像する構成としてもよい。この場合には、撮像画像から外部表示装置４８に表示されたパターン画像を切り出して外部表示装置４８の特性を検出し、また、撮像画像における外部表示装置４８の周囲の色温度等から外部表示装置の周囲環境の状態を検出する。
【００２０】
また、上述の実施の形態においては、外部表示装置４８の特性に応じて設定した補正値を外部表示装置４８の周囲環境の状態に応じて変更する構成としたが、外部表示装置４８の特性に応じた補正値と、外部表示装置４８の周囲環境の状態に応じた補正値とをそれぞれ設定し、外部表示装置４８の特性に応じた補正と外部表示装置４８の周囲環境の状態に応じた補正をそれぞれの値を用いて別々に行う構成としてもよい。
【００２１】
また、上述の実施の形態においては、カメラ２と外部表示装置４８を有線により接続する構成を例に説明したが、赤外線等を用いた無線により接続する構成としてもよい。
【符号の説明】
【００２２】
２…カメラ、１４…再生ボタン、２０…キャリブレーションボタン、２１…コネクタ、２２…画像出力部、２４…ＣＰＵ、３０…撮像素子、３８…パターン画像記憶部、４０…特性検出部、４２…環境検出部、４４…補正値設定部、４６…出力画像処理部、４８…外部表示装置。
【図１】
2010273189.tif 000003
【図２】
2010273189.tif 000004
【図３】
2010273189.tif 000005
【図４】
2010273189.tif 000006
【図５】
2010273189.tif 000007
【図６】
2010273189.tif 000008